(57)【要約】 【課題】  本発明の目的は、ラフ用人工芝部と、該ラフ用人工芝部より芝丈の短いフェアウェイ用人工芝部とを備えて、アドレスのしにくい、換言するとアドレスの練習が可能なゴルフ練習用マットを提供すること。【解決手段】  ゴルフの練習に使用するゴルフ練習用マットであって、基板部に、ラフ用人工芝部と、該ラフ用人工芝部より芝丈の短いフェアウェイ用人工芝部と、を備え、ラフ用人工芝部とフェアウェイ用人工芝部とはそれぞれ、広幅部と、該広幅部に連続して形成された細幅部と、を有し、ラフ用人工芝部の広幅部とフェアウェイ用人工芝部の細幅部とは対応して配置され、  ラフ用人工芝部の細幅部とフェアウェイ用人工芝部の広幅部とは対応して配置され、前記ラフ用人工芝部及びフェアウェイ用人工芝部の外形が曲線状に形成されているゴルフ練習用マット。【選択図】    図１
2006230631.tif 000002
【特許請求の範囲】
【請求項１】
ゴルフの練習に使用するゴルフ練習用マットであって、
基板部に、ラフ用人工芝部と、該ラフ用人工芝部より芝丈の短いフェアウェイ用人工芝部と、を備え、
ラフ用人工芝部とフェアウェイ用人工芝部とはそれぞれ、広幅部と、該広幅部に連続して形成された細幅部と、を有し、
ラフ用人工芝部の広幅部とフェアウェイ用人工芝部の細幅部とは対応して配置され、
ラフ用人工芝部の細幅部とフェアウェイ用人工芝部の広幅部とは対応して配置され、
前記ラフ用人工芝部及びフェアウェイ用人工芝部の外形が曲線状に形成されていることを特徴とする請求項１に記載のゴルフ練習用マット。
【請求項２】
前記基板部の外形が、曲線状に形成されていることを特徴とする請求項１記載のゴルフ練習用マット。
【請求項３】
前記ラフ用人工芝部に植設された人工芝は芝丈が４ｃｍ〜６ｃｍであることを特徴とする請求項１に記載のゴルフ練習用マット。
【請求項４】
前記フェアウェイ用人工芝部に植設された人工芝は芝丈が０．５ｃｍ〜１ｃｍであることを特徴とする請求項１に記載のゴルフ練習用マット。
【請求項５】
対応して配置されたラフ用人工芝部の一側周縁とフェアウェイ用人工芝部の他側周縁との間には間隙が形成され、該間隙で露出している前記基板部、及び基板部の端部にはゴルフボール位置認識用の目盛が付されたことを特徴とする請求項１に記載のゴルフ練習用マット。
【請求項６】
前記基板部を水平面に対して傾斜させるために、前記基板部に傾斜支持スペーサーを嵌め込むための凹部が形成されたことを特徴とする請求項１に記載のゴルフ練習用マット。
【請求項７】
前記基板部が合成ゴム材で形成されており、該合成ゴム材の硬度が８０度〜９０度（ＪＩＳＫ６２５３のＡ型タイプ又はＪＩＳＫ６３０１のＪＡ型タイプの硬度計での測定値）であることを特徴とする請求項１に記載のゴルフ練習用マット。
【発明の詳細な説明】
【技術分野】
【０００１】
本発明は、ゴルフ練習用マットに関し、更に詳しくは、基板部に、ラフ用人工芝部と、該ラフ用人工芝部より芝丈の短いフェアウェイ用人工芝部と、を備えたゴルフ練習用マットに関する。
【背景技術】
【０００２】
ゴルフ愛好者にとっては、コースでの自然のラフ状態は極めて変化に富んだものであり、日頃から、それらの状況に応じた練習を行うことが上達のためには必要である。
一般に、コースにおいては、芝が深いラフ状態でのショットが苦手な人が多い。
それは、アイアン等のクラブヘッドに芝生の葉が絡んで抵抗が生じるために、ラフにおける特有の打ち方をしなければならないからであり、日頃の練習が尚更必要となる。
【０００３】
通常、ゴルフのショットの練習を行う場合、ゴルフ練習場や自宅で行う場合が多いが、その場合、ゴルフボールを練習用マットの上に載せてショットの練習を行う。
このような実際のゴルフ場以外の場所での練習は、自然のゴルフ場を模擬したラフ状態で行うことが効果的である。
そのために、現在、ラフやフェアウェイでの状態を想定し、それに似た練習用マットが種々開発されている。
【０００４】
このような練習用マットとしては、例えば、実開昭６２−５０６８０号公報、実開昭６３−２０１５６３号公報、実開平３−１６９７３号公報等にあるような人工芝を備えたものが提供されている。
実開昭６２−５０６８０号公報には、基板面に、ゴルフボールの径より長い人工芝を植毛した複数枚の芝シートを平面状に並べて額縁状枠体の内側に、着脱自在に嵌合したラフ練習用マットが示されている（特許文献１参照）。
【０００５】
また実開昭６３−２０１５６３号公報には、フォロースルー側の部分のマットの毛足がテイクバック側の毛足よりも長くし、クラブヘッドが通った方向に倒れ且つ戻るようにしたゴルフ練習用段付きマットが示されている（特許文献２参照）。
【０００６】
更に、また実開平３−１６９７３号公報には、芝の長さが不揃いな人工芝と均一な人工芝の両方を備えたゴルフ練習用マットが示されている（特許文献３参照）。
しかし、これらのゴルフ練習用マットは、確かに自然のラフに似せた状態を作ってはいるが、単に芝の葉をラフに似た長さとしただけのもので、クラブヘッドの絡み状態も自然の芝と異なっており、いわゆる自然のラフ状態に近い打感を再現することはできない。
【０００７】
そこで、極力、ラフ状態に似た打感を得ることがきるゴルフ練習用マットが本出願人により開発された（特許文献４参照）。
この特許文献４に記載のゴルフ練習用マットは、人工芝の葉の幅がランダムに形成されたものであり、自然のラフ状態に似た特有の打感や芝絡みの感触を得ることができる。
またこのゴルフ練習用マットは、芝丈が比較的長い芝部と、芝丈が比較的短い芝部とを備えているために、当然、ゴルフコースのラフとフェアウェイとの両方の練習に対応することができる。
【０００８】
【特許文献１】実開昭６２−５０６８０号公報
【特許文献２】実開昭６３−２０１５６３号公報
【特許文献３】実開平３−１６９７３号公報
【特許文献４】特開２００４−２４９０００号公報
【発明の開示】
【発明が解決しようとする課題】
【０００９】
このようにゴルフ練習用マットとしては、練習効率が向上するような機能的な種々の改良が行われきた。
しかしながら、従来のいずれにおいてもゴルフ練習用マットとして、アドレス練習機能を忘れてしまっている。
つまり、上述した従来のゴルフ練習用マットにおいては、いずれのものも人工芝が矩形の領域に植えられていたため、ゴルフ練習者は、実際のゴルフコースでのアドレスに比べて容易にアドレスをすることができるのである。
すなわち、目標に向かって矩形の芝部の一辺を合わせることで、容易に目標に合わせたアドレスを行うことができる。
しかし練習のためには、寧ろアドレスを行いにくい方が好ましく、その方がゴルフ練習者としては実際のゴルフコースでアドレス取りの訓練になり易いものである。
この点が解決されていない。
【００１０】
本発明は、かかる背景技術をもとになされたもので、ゴルフ練習用マットにおける従来の問題点を克服することができるものである。
すなわち、本発明は、ラフ用人工芝部と、該ラフ用人工芝部より芝丈の短いフェアウェイ用人工芝部とを備えて、アドレスのしにくい、換言するとアドレスの練習が可能なゴルフ練習用マットを提供することを目的とする。
【課題を解決するための手段】
【００１１】
かくして、本発明者は、このような課題背景に対して鋭意研究を重ねた結果、ラフ用人工芝部及びフェアウェイ用人工芝部をあえて曲面形状にすることによりアドレスがしにくくなり、上記の問題点を解決することができることを見出し、この知見に基づいて本発明を完成させたものである。
【００１２】
すなわち、本発明は、（１）、ゴルフの練習に使用するゴルフ練習用マットであって、基板部に、ラフ用人工芝部と、該ラフ用人工芝部より芝丈の短いフェアウェイ用人工芝部と、を備え、ラフ用人工芝部とフェアウェイ用人工芝部とはそれぞれ、広幅部と、該広幅部に連続して形成された細幅部と、を有し、ラフ用人工芝部の広幅部とフェアウェイ用人工芝部の細幅部とは対応して配置され、ラフ用人工芝部の細幅部とフェアウェイ用人工芝部の広幅部とは対応して配置され、前記ラフ用人工芝部及びフェアウェイ用人工芝部の外形が曲線状に形成されている上記（１）に記載のゴルフ練習用マットに存する
【００１３】
また、本発明は、（２）、前記基板部の外形が、曲線状に形成されている上記（１）に記載のゴルフ練習用マットに存する。
【００１４】
また、本発明は、（３）、前記ラフ用人工芝部に植設された人工芝は芝丈が４ｃｍ〜６ｃｍである上記（１）に記載のゴルフ練習用マットに存する。
【００１５】
本発明は、（４）、前記フェアウェイ用人工芝部に植設された人工芝は芝丈が０．５ｃｍ〜１ｃｍである上記（１）に記載のゴルフ練習用マットに存する。
【００１６】
また、本発明は、（５）、対応して配置されたラフ用人工芝部の一側周縁とフェアウェイ用人工芝部の他側周縁との間には間隙が形成され、該間隙で露出している前記基板部、及び基板部の端部にはゴルフボール位置認識用の目盛が付された上記（１）に記載のゴルフ練習用マットに存する。
【００１７】
また、本発明は、（６）、前記基板部を水平面に対して傾斜させるために、前記基板部に傾斜支持スペーサーを嵌め込むための凹部が形成された上記（１）に記載のゴルフ練習用マットに存する。
【００１８】
また、本発明は、（７）、前記基板部が合成ゴム材で形成されており、該合成ゴム材の硬度が８０度〜９０度（ＪＩＳＫ６２５３のＡ型タイプ又はＪＩＳＫ６３０１のＪＡ型タイプの硬度計での測定値）である上記（１）に記載のゴルフ練習用マットに存する。
【００１９】
なお、本発明の目的に添ったものであれば、上記（１）から（７）を適宜組み合わせた構成も採用可能である。
【発明の効果】
【００２０】
本発明のゴルフ練習用マットによれば、基板部に、ラフ用人工芝部と、該ラフ用人工芝部より芝丈の短いフェアウェイ用人工芝部とを備え、ラフ用人工芝部とフェアウェイ用人工芝部とはそれぞれ、広幅部と、該広幅部に連続して形成された細幅部と、を有し、ラフ用人工芝部の広幅部とフェアウェイ用人工芝部の細幅部とは対応して配置され、ラフ用人工芝部の細幅部とフェアウェイ用人工芝部の広幅部とは対応して配置され、前記ラフ用人工芝部及びフェアウェイ用人工芝部の外形が曲線状に形成されているので、従来のように、単なる矩形の芝領域を２つ並べた場合に比べて方向性の目安がないため、アドレスを取りにくく、結果的に高い練習効果を得られるものである。
クラブヘッドが芝に沈む面積がボールの前方ほど大きくなるが、広幅部と細幅部とを対応させたのでコンパクトなマットでも対応できる。
【発明を実施するための最良の形態】
【００２１】
以下、本発明を実施するための最良の形態を図面に基づいて説明する。
図１は、本発明のゴルフ練習用マットの一実施形態を示している。
この実施形態のゴルフ練習用マットＡは、ゴム製の基板部１を有している。
この基板部１の外形は、曲線状の矩形に形成されている。
また、この基板部１は、合成ゴム材で形成されており、該合成ゴム材の硬度が８０度〜９０度（ＪＩＳＫ６２５３のＡ型タイプ又はＪＩＳＫ６３０１のＪＡ型タイプの硬度計での測定値）としている。
この範囲の硬度であると、後述するように、基板部１を水平面に対して傾斜させるために、前記基板部１に傾斜支持スペーサー５を嵌め込んだ場合でも、基板部１が撓まない状態を維持できる。
【００２２】
また基板部１には、ラフ用人工芝部２と、該ラフ用人工芝部２より芝丈の短いフェアウェイ用人工芝部３と、が嵌め込むように設けられている。
フェアウェイ用人工芝部３としては、毛足の短い方向性のある人工芝（例えばポリエステル製絨毯地）を用いることができる。
方向性のある絨毯地を用いた場合、ゴルフクラブをスイングしたときダフったら、跡が残るので、ゴルフ練習者は自分のスイングの姿勢を修正することができる。
この絨毯地のものは、方向性が残る種類のものであれば、何でも適用可能である。
【００２３】
ラフ用人工芝部２とフェアウェイ用人工芝部３とはそれぞれ、広幅部２ａ，３ａと、該広幅部２ａ，３ａに連続して形成された細幅部２ｂ，３ｂと、を有している。
そして、ラフ用人工芝部２の広幅部２ａとフェアウェイ用人工芝部３の細幅部３ｂとは対応して配置され、またラフ用人工芝部２の細幅部２ｂとフェアウェイ用人工芝部３の広幅部３ａとは対応して配置されている。
より具体的には、ラフ用人工芝部２の広幅部２ａの一側周縁とフェアウェイ用人工芝部３の細幅部３ｂの他側周縁とは隣接して配置されており、また、ラフ用人工芝部２の細幅部２ｂの一側周縁とフェアウェイ用人工芝部３の広幅部３ａの他側周縁とは隣接して配置されている。
そしてラフ用人工芝部２及びフェアウェイ用人工芝部３の外形が曲線状に形成されている。
【００２４】
このように各芝部の外形が曲線状に形成されているため、従来のような単なる矩形状の芝領域を２つ並べた場合に比べて、方向性の目安がなくなり、アドレスを取りにくくすることができる。
しかも、視覚的にゴルフボールの位置についての遠近感が鈍って、アドレスを取りにくくすることができる。
なお、このことは、基板部１の外形を曲線状の矩形に形状することによってもいえる。
【００２５】
このことを、ゴルフ練習場を想定した図２を用いて説明する。
図２（Ａ）は、従来の矩形状マットＭに矩形の芝部Ｍ１が形成されたものであるが、この場合、その芝部Ｍ１の一辺をポールＰに向けてセットすると、ゴルフボールＢの的確な飛球方向Ｆ１が設定でき、アドレスが容易に定まる。
一方、図２（Ｂ）のように本発明のゴルフ練習用マットＡであれば、かかる方向付けの認識ができないため、正確なポールＰに合わせた飛球方向も設定が困難である。
その結果、正確なアドレスができないことになり、逆に、練習効果が上がることとなる。
【００２６】
ところで、ラフ用人工芝部２に植設された人工芝（例えばナイロン製）は、芝丈を４ｃｍ〜６ｃｍの範囲とすることが好ましい。
４ｃｍより短いと、ゴルフボールを沈んだ状態に再現することが難しく、また６ｃｍより長いと、人工芝が寝て倒れやすい。
またフェアウェイ用人工芝部３に植設された人工芝は、芝丈を０．５ｃｍ以上１ｃｍ未満とするのが好ましい。
この範囲であると、練習用ボールが、人工芝の上に乗った状態となり、比較的、フェアウェイの状態を再現し易い。
【００２７】
また、隣接して配置されたラフ用人工芝部２の一側周縁とフェアウェイ用人工芝部３の他側周縁との間には間隙が形成され、該間隙で露出している基板部１に、ボール位置認識用のライン状の目盛４Ａが一定間隔で付されている。
そして基板部１の端部にも、目盛４Ａと等間隔で三角形状の目盛４Ｂが付されている。
ラフ用人工芝部２及びフェアウェイ用人工芝部３の各々周囲に、この目盛４Ａと目盛４Ｂとが付されていることになり、各芝部ごとにゴルフボールの位置を容易に認識することができる。
【００２８】
図３は、図１のゴルフ練習用マットＡを裏面側から見たものである。
図に示すように、基板部１の裏面側には、長方形板状の凹部１ａが形成されている。
凹部１ａの中央には、矩形体状の突起１ｂが形成されており、この突起１ｂにより基板部１の凹部１ａがへこむのを防止できる。
また、この凹部１ａと突起１ｂとは、基板部１を水平面に対して傾斜させるために用いる傾斜支持スペーサー５（５Ａ，５Ｂ）を嵌め込む役割を果たす。
この突起１ｂは、後述するように、傾斜支持スペーサー５を変えた場合にも共通に使える部分である。
【００２９】
図４は、傾斜支持スペーサー５Ａを凹部１ａに嵌め込んだ状態を示している。  傾斜支持スペーサー５Ａは、横方向に台形断面を有するブロックであり、その一面が凹部１ａの短辺側の側壁に当接し、この面と対向する面が突起１ｂに当接し固定されている。
傾斜支持スペーサー５Ａは、軟質のプラスチック製が好ましく、硬質の合成ゴム材からなる凹部１ａと突起１ｂとの間へ、強く押し込んで多少変形させて嵌め込むことができる。
そのため、傾斜支持スペーサー５Ａを取り付けた状態でゴルフ練習用マットＡ全体を動かした場合でも、傾斜支持スペーサー５Ａの位置がズレたり、外れてしまうことはない。
【００３０】
そして、傾斜支持スペーサー５Ａを嵌め込んだ状態のゴルフ練習用マットＡを地面Ｇやコンクリート等の床に置くと、図５（断面図）に示すようになる。
すなわち、図に断面で示すように、ゴルフ練習用マットＡはゴルフボールＢの飛球方向Ｆに傾斜して左下がりになった状態となり、ゴルフコースでの左下がりのアンジュレーションを再現することができる。
【００３１】
基板部１は、上述したように、合成ゴム材で形成されており、該合成ゴム材の硬度が８０度〜９０度であるので、十分腰があり全体として撓まない。
一方、傾斜支持スペーサー５Ａの傾斜を逆にして図４の一点破線の位置に嵌め込むと、ゴルフ練習用マットＡはゴルフボールＢの飛球方向Ｆに傾斜して左上がりになり、ゴルフコースでの前下がりのアンジュレーションを再現することができる。
【００３２】
次に図６は、傾斜支持スペーサー５Ｂを凹部１ａに嵌め込んだ状態を示している。
この傾斜支持スペーサー５Ｂは、縦方向に台形断面を有するブロックであり、その一面が凹部１ａの長辺側の側壁に当接し、この面と対向する面が突起１ｂに当接している。
傾斜支持スペーサー５Ｂも前述の傾斜支持スペーサー５Ａと同じように凹部１ａと突起１ｂとの間へ、強く押し込んで嵌め込むことができる。
【００３３】
図７は、傾斜支持スペーサー５Ｂを嵌め込んだ状態のゴルフ練習用マットＡを地面Ｇやコンクリート等の床に置いた場合を断面で示した図である。
傾斜支持スペーサー５Ｂを嵌め込んだ状態では、図の断面で示すように、ゴルフ練習用マットＡはゴルフボールＢの飛球方向Ｆと垂直方向に傾斜して前上がりになり、ゴルフコースでの前上がりのアンジュレーションを再現することができる。
【００３４】
一方、傾斜支持スペーサー５Ｂの傾斜を逆にして図６の一点破線の位置に嵌め込むとゴルフ練習用マットＡはゴルフボールＢの飛球方向Ｆと垂直方向に傾斜して前下がりになり、ゴルフコースでの前下がりのアンジュレーションを再現することができる。
図５及び図７から分かるように、傾斜支持スペーサー５をどの位置に配置しても、突起１ｂが傾斜支持スペーサー５の一方の辺を必ず支える役割を果たすことができ、スペーサー５を変えた場合にも共通に使える部分となる。
【００３５】
図８は、ゴルフ練習用マットＡの断面の一部を例示している。
基板部１には、人工芝部２，３を形成するための人工芝６が植え込まれており、この人工芝６は、直接、基板部１に植え込ませることなく、シート体７を介して基板部１に取り付けられる構造となっている。
また人工芝６は、テープ体を処理加工して葉幅をランダム化することが好ましい。
【００３６】
人工芝６は、シート体７に植え込まれており、このシート体７の裏側には抜け防止及び衝撃を緩和するための可撓性部材８が貼り付けられている。
なお、可撓性部材８が人工芝６の根部を押さえ込むように接着固定されているために、葉が長くても人工芝６は抜けにくい。
この可撓性部材８の材料としては、ウレタンゴム、アクリルゴム、シリコンゴム等の合成ゴムを使うことが好ましい。
この可撓性部材８の厚みは、抜け防止や衝撃の緩和のために２〜１０ｍｍ程度が好ましい。
【００３７】
表側から人工芝６を植え込まれ且つ裏側に可撓性部材８が貼り付けられたシート体７は、そのまま基板部１に形成された窪み１ｃに嵌め込まれる。
【００３８】
このように本実施形態のゴルフ練習用マットＡは、自然のコースのように現実にターフを取るように打ち抜くことはできないが、少なくとも可撓性部材８が介在することで、それにクラブヘッドが当たった場合に瞬時的に食い込み感が生じて自然のラフに近いものとなる。
【００３９】
図９は、練習の際にゴルフ練習者の足元にゴルフ練習用マットＡを置いた状態を示している。
図中、二点鎖線で示すＳは、ゴルフ練習者のアドレスしたスタンディングエリアである。
【００４０】
図９（Ａ）の位置にある練習用マットＡでは、フェアウェイ用人工芝部３がスタンディングエリアＳ側に位置し、ラフ用人工芝部２がタンディングエリアＳより遠い側に位置している。
ゴルフ練習者は、通常、手前にある芝部にゴルフボールを載せて打つ。
このとき、フェアウェイ用人工芝部３は、前方（図では左方）に広幅部３ａが位置し、後方に細幅部３ｂが位置している。
そのため、例えば細幅部３ｂ上に載置されたゴルフボールを打つ場合、ゴルフクラブのヘッドはゴルフボール前方に位置する領域を抉るようなショットとなり、前方でクラブヘッドが芝に沈む面積が大きくなっても、この広幅部３ａにより十分対応することができる。
【００４１】
ちなみに、本発明では、コンパクトにする意味で、一方の芝部の細幅部３ｂと他方の芝部の広幅部３ａを対応させ、広い面積が必要とする部分であるゴルフボール前方に位置する領域を、広幅部３ａとして設定し、差ほど広い面積を必要としない部分であるゴルフボール前方に位置する領域を細幅部３ｂとして設定した。
【００４２】
図９（Ｂ）の位置にある練習用マットＡでは、ラフ用人工芝部２がスタンディングエリアＳ側に位置している。
練習用マットＡは、図９（Ａ）の状態から、右回り又は左回りのどちらに回しても図９（Ｂ）の状態となる。
フェアウェイ用人工芝部３がスタンディングエリアＳ側に位置する状態となっても、或いはラフ用人工芝部２がスタンディングエリアＳ側に位置する状態となっても、常に左方が広幅部となり右方が細幅部となる。
すなわち練習用マットＡの置き方を変えても、常に左方が広幅部となり右方が細幅部となり、通常のゴルフ練習者にとって極めて有用である。
【００４３】
以上、本発明を説明してきたが、本発明は上述した実施形態にのみ限定されるものではなく、その本質を逸脱しない範囲で、他の種々の変形が可能であることはいうまでもない。
【００４４】
例えば、ラフ用人工芝部やフェアウェイ用人工芝部の広幅部と細幅部との面積のバランスは図に示したものに限らない。
また目盛４Ａと目盛４Ｂとの付し方は図に示す以外の部分にも付すことが可能である。
また、基板部に細かい溝を設けて横ズレしないように置場との摩擦力を増大することも可能である。
また、左利きの人にとっては、広幅部を右側に細幅部を左側になるように、基板部に各芝部を設けてもよい。
また、基板部の凹部の大きさに関係なく傾斜支持スペーサーの大きさは練習マットの傾斜ができる限り自由に選択できる。
【図面の簡単な説明】
【００４５】
【図１】図１は、本発明の一実施形態に係るゴルフ練習用マットを示す説明図である。
【図２（Ａ）】図２（Ａ）は、従来のゴルフ練習用マットを用いた場合にゴルフボールの飛球方向の認識が容易であることを示す説明図である。
【図２（Ｂ）】図２（Ｂ）は、本発明のゴルフ練習用マットを用いた場合にゴルフボールの飛球方向の認識が困難であることを示す説明図である。
【図３】図３は、図１のゴルフ練習用マットの裏面側を示す説明図である。
【図４】図４は、傾斜支持スペーサーを凹部に嵌め込んだ状態を示す説明図である。
【図５】図５は、傾斜支持スペーサーを嵌め込んだ状態のゴルフ練習用マットをコンクリート等の床に置いた状態を示す断面の説明図である。
【図６】図６は、他の傾斜支持スペーサーを凹部に嵌め込んだ状態を示す説明図である。
【図７】図７は、傾斜支持スペーサーを嵌め込んだ状態のゴルフ練習用マットをコンクリート等の床に置いた状態を示す断面の説明図である。
【図８】図８は、ゴルフ練習用マットの断面の一部を示す説明図である。
【図９】図９は、練習の際にゴルフ練習者の足元にゴルフ練習用マットＡを置いた状態を各々示している。
【符号の説明】
【００４６】
Ａ  ゴルフ練習用マット
Ｂ  ゴルフボール
Ｆ，Ｆ１  飛球方向
Ｇ  地面
Ｍ  矩形状マット
Ｍ１  芝部
Ｐ  ポール
Ｓ  スタンディングエリア
Ｔ  スプリットフィルム
１  基板部
１ａ  凹部
１ｂ  突起
１ｃ  窪み
２  ラフ用人工芝部
２ａ  広幅部
２ｂ  細幅部
３  フェアウェイ用人工芝部
３ａ  広幅部
３ｂ  細幅部
４Ａ，４Ｂ  目盛
５Ａ，５Ｂ  傾斜支持スペーサー
６  人工芝
７  シート体
８  可撓性部材
【図１】
2006230631.tif 000003
【図２（Ａ）】
2006230631.tif 000004
【図２（Ｂ）】
2006230631.tif 000005
【図３】
2006230631.tif 000006
【図４】
2006230631.tif 000007
【図５】
2006230631.tif 000008
【図６】
2006230631.tif 000009
【図７】
2006230631.tif 000010
【図８】
2006230631.tif 000011
【図９】
2006230631.tif 000012